(57)【要約】【課題】クリップ本体が縦横いずれの方向に向いている器物に挟み止めされても、容器を器物に縦向きに保持する容器ホルダーを提供する。【解決手段】  容器５０を器物Ｔの近傍に保持させる容器ホルダー１０であって、器物Ｔに挟み止めされるクリップ本体２０と、クリップ本体２０の外面に起伏可能に取り付けられる支持板３０とからなり、クリップ本体２０は、枢軸２１と、互いに対向し枢軸２１に支持される一対の挟み片２２Ａ、２２Ｂと、各挟み片２２Ａ、２２Ｂの挟み部２２ａが近づき掴み部２２ｂが離れるように付勢するバネ２３とを備え、各挟み片２２Ａ、２２Ｂには容器５０を挿入状態で保持する第１の保持孔２２１Ａ、２２１Ｂが同位置に設けられ、支持板３０には、容器５０を挿入状態で保持する第２の保持孔３１が、支持板３０が倒れてクリップ本体２０上に重なった状態のとき、第１の保持孔２２１Ａ、２２１Ｂと連通するように設けられている。【選択図】図１
2018034949.tif 000002
【特許請求の範囲】
【請求項１】
容器を器物の近傍に保持させる容器ホルダーであって、
前記器物に挟み止めされるクリップ本体と、前記クリップ本体の外面に起伏可能に取り付けられる支持板とからなり、
前記クリップ本体は、枢軸と、互いに対向し前記枢軸に支持される一対の挟み片と、前記枢軸上に設けられ各挟み片の先端側の挟み部が近づき基端側の掴み部が離れるように挟み片を付勢するバネとを備え、各挟み片には前記容器を挿入状態で保持する第１の保持孔が同位置に設けられており、
前記支持板には、前記容器を挿入状態で保持する第２の保持孔が、前記支持板が倒れて前記クリップ本体上に重なった状態のとき、前記第１の保持孔と連通するように設けられている容器ホルダー。
【請求項２】
前記支持板と反対側の挟み片は、前記第１の保持孔の外周縁の対向位置に、前記容器の外面に突設された軸を支持する第１の軸受部が設けられ、
前記支持板は、前記第２の保持孔の外周縁の対向位置に、前記容器の外面に突設された軸を支持する第２の軸受部が設けられている請求項１に記載の容器ホルダー。
【請求項３】
前記第１及び第２の軸受部は凹溝である請求項２に記載の容器ホルダー。
【請求項４】
前記支持板と反対側の挟み片は、第１の保持孔の外周縁の対向位置に、厚さ方向に貫通する第１の切り欠き溝が形成され、前記第１の切り欠き溝の一端を覆うように前記第１の軸受部が前記挟み片に取り付けられ、
前記支持板は、第２の保持孔の外周縁の対向位置に、厚さ方向に貫通する第２の切り欠き溝が形成され、前記第２の切り欠き溝の一端を覆うように前記第２の軸受部が前記挟み片に取り付けられている請求項２に記載の容器ホルダー。
【請求項５】
前記支持板は、起伏動作の中間の角度位置で定位することが可能なように前記クリップ本体の外面に取り付けられている請求項１から４のいずれかに記載の容器ホルダー。
【請求項６】
前記軸は円柱状であり、前記第１の軸受部又は前記第２の軸受部に回動自由に係止される請求項１から５のいずれかに記載の容器ホルダー。
【請求項７】
請求項１から６のいずれかに記載の容器ホルダーと、
前記容器ホルダーの第１又は第２の保持孔に挿入状態で保持される容器との組み合わせからなるホルダー付容器。
【発明の詳細な説明】
【技術分野】
【０００１】
本発明は、容器をテーブル、椅子、衝立等の器物の近傍に保持させる容器ホルダー及びこの容器ホルダーと容器の組み合わせからなるホルダー付容器に関するものである。
【背景技術】
【０００２】
従来より、ゴミ袋ホルダーを用いて壁面にゴミ袋を吊り下げてゴミを収容することが行われている。例えば、特許文献１に記載のゴミ袋ホルダーは、ゴミ袋が係止されるリング状の袋開口リングと、この袋開口リングを保持する保持体とを備えている。保持体は略Ｕ字形状であり、一方の片が袋開口リングと連結され、他方の片が吸盤やマグネットによりタイル壁や冷蔵庫などの壁面に取り付けられる。これにより、ゴミ袋が壁面に吊り下げられる。
【先行技術文献】
【特許文献】
【０００３】
【特許文献１】特開平１０−７２１０１号公報
【発明の概要】
【発明が解決しようとする課題】
【０００４】
しかし、上記のゴミ袋ホルダーは、壁面に保持体を取り付けてゴミ袋を吊り下げるものであり、例えば、テーブルの天板等に保持体を取り付けてもゴミ袋を吊り下げることはできない。
【０００５】
本発明は、上記した課題に着目してなされたものであり、縦横のいずれの方向を向く器物に対しても、容器を縦向きに保持することが可能な容器ホルダー及びホルダー付容器を提供することを目的とする。
【課題を解決するための手段】
【０００６】
本発明による容器ホルダーは、容器を器物の近傍に保持させる容器ホルダーであって、
前記器物に挟み止めされるクリップ本体と、前記クリップ本体の外面に起伏可能に取り付けられる支持板とからなる。前記クリップ本体は、枢軸と、互いに対向し前記枢軸に支持される一対の挟み片と、前記枢軸上に設けられ各挟み片の先端側の挟み部が近づき基端側の掴み部が離れるように挟み片を付勢するバネとを備え、各挟み片には前記容器を挿入状態で保持する第１の保持孔が同位置に設けられている。前記支持板には、前記容器を挿入状態で保持する第２の保持孔が、前記支持板が倒れて前記クリップ本体上に重なった状態のとき、前記第１の保持孔と連通するように設けられている。上記の目的はこの容器ホルダーにより達成される。
【０００７】
クリップ本体がテーブルの天板のような横向きの器物に対して挟み止めされる場合、支持板をクリップ本体上に重なった状態にすると、第１の保持孔と第２の保持孔とは連通して器物に対して直交する方向（以下、「縦方向」とも言う）を向き、容器はこの第１及び第２の保持孔に挿入状態で保持される。
また、クリップ本体が衝立のような縦向きの器物に対して挟み止めされる場合、支持板をクリップ本体より起立させると、支持板の第２の保持孔が縦方向を向き、容器はこの第２の保持孔に挿入状態で保持される。
このように、容器ホルダーが縦横のいずれの方向を向く器物に挟み止めされても、容器を器物に縦向きに保持することが可能である。
【０００８】
一実施形態においては、前記支持板と反対側の挟み片には、前記第１の保持孔の外周縁の対向位置に、前記容器の外面に突設された軸を支持する第１の軸受部が設けられ、
前記支持板には、前記第２の保持孔の外周縁の対向位置に、前記容器の外面に突設された軸を支持する第２の軸受部が設けられている。
【０００９】
上記の構成によれば、支持板が起立した状態のとき、容器は支持板の第２の保持孔に支持され、支持板が倒れてクリップ本体上に重なった状態のとき、容器は前記クリップ本体の第１の保持孔に支持されるものであり、容器の外面の軸を第１の軸受部又は第２の軸受部に支持させるだけで容器をクリップ本体又は支持板に宙吊り状態で縦向きに支持させることができる。
【００１０】
一実施形態においては、前記第１及び第２の軸受部は凹溝である。
【００１１】
上記の構成によれば、容器の軸は凹溝に係止される。
【００１２】
一実施形態においては、前記支持板と反対側の挟み片は、第１の保持孔の外周縁の対向位置に、厚さ方向に貫通する第１の切り欠き溝が形成され、前記第１の切り欠き溝の一端を覆うように前記第１の軸受部が前記挟み片に取り付けられ、前記支持板は、第２の保持孔の外周縁の対向位置に、厚さ方向に貫通する第２の切り欠き溝が形成され、前記第２の切り欠き溝の一端を覆うように前記第２の軸受部が前記挟み片に取り付けられている。
【００１３】
クリップ本体が横向きの器物に対して挟み止めされ、第１の保持孔及び第１の切り欠き溝が縦方向を向いた状態で、第１の軸受部は第１の切り欠き溝の下方に位置する。容器を挟み片に支持させるには、容器の軸を挟み片の第１の切り欠き溝を通過させて、第１の軸受部に支持させる。
クリップ本体が縦向きの器物に対して挟み止めされ、第２の保持孔及び第２の切り欠き溝が縦方向を向いた状態で、第２の軸受部は第２の切り欠き溝の下方に位置する。容器を挟み片に支持させるには、容器の軸を挟み片の第２の切り欠き溝を通過させて、第２の軸受部に支持させる。
【００１４】
上記の構成によれば、第１の軸受部を挟み片とは別部材で構成し、第２の軸受部を支持板とは別部材として構成しているので、挟み片及び支持板に第１の軸受部及び第２の軸受部を形成する場合に比べて、挟み片及び支持板の厚みを薄くすることができる。
【００１５】
一実施形態においては、前記支持板は、起伏動作の中間の角度位置で定位することが可能なように前記クリップ本体の外面に取り付けられている。
【００１６】
上記の構成によれば、クリップ本体が器物に斜めに挟み止めされていても、支持板をクリップ本体に対して任意の角度位置で定位させることで、容器を縦向きに保持することが可能である。
【００１７】
一実施形態においては、前記軸は円柱状であり、前記第１の軸受部又は前記第２の軸受部に回動自由に係止される。
【００１８】
上記の構成によれば、支持板が斜め向きの場合にも、容器が重力方向に回動することで容器を縦向きに保持することが可能である。
【００１９】
本発明の上記の目的は、上記したいずれかの容器ホルダーと、前記容器ホルダーの第１又は第２の保持孔に挿入状態で保持される容器との組み合わせからなるホルダー付容器によっても達成される。
【００２０】
器物及び容器は種々のものが考えられるが、一実施形態では、器物はテーブル、机、椅子の肘かけ、衝立であり、容器はゴミ箱である。
【発明の効果】
【００２１】
本発明によれば、容器ホルダーが縦横のいずれの方向を向く器物に挟み止めされても、容器を器物に縦向きに保持することが可能である。
【図面の簡単な説明】
【００２２】
【図１】本発明の一実施形態に係る容器ホルダーに、容器が支持された状態を示す側面図である。
【図２】容器ホルダーの側面図である。
【図３】図２のＡ−Ａ線に沿う断面図である。
【図４】容器ホルダーが横向きの器物に挟み止めされたときのホルダー付容器を示す側面図である。
【図５】容器ホルダーが縦向きの器物に挟み止めされたときのホルダー付容器を示す側面図である。
【図６】容器の斜視図である。
【図７】支持板の要部を示す平面図である。
【図８】容器ホルダーが厚みの薄い横向きの器物に挟み止めされたときのホルダー付容器を示す側面図である。
【図９】支持板が斜め方向に起立した状態でのホルダー付容器を示す側面図である。
【図１０】容器ホルダーの他の実施形態の側面図である。
【図１１】図１０の容器ホルダーにおける挟み片の掴み部の要部を示す平面図である。
【図１２】容器ホルダーの他の実施形態の側面図である。
【図１３】図１２の容器ホルダーが縦向きの器物に挟み止めされたときのホルダー付容器の側面図である。
【発明を実施するための最良の形態】
【００２３】
本発明の実施形態を図面を参照して説明する。
本発明の一実施形態のホルダー付容器６０は、図１に示すように、容器ホルダー１０と、容器５０との組み合わせからなるもので、容器ホルダー１０により器物Ｔの近傍に容器５０が保持されるものである。
【００２４】
図１の例では、前記の器物Ｔはテーブルの天板、容器５０はゴミ箱であり、容器ホルダー１０によりテーブルの近傍にゴミ箱が保持されている。なお、器物Ｔは机、椅子の肘かけ、衝立等であってもよく、容器５０は小物入れ、コップなど、ゴミ箱以外のものであってもよい。
【００２５】
容器ホルダー１０は、図２及び図３に示すように、器物Ｔに挟み止めされるクリップ本体２０と、クリップ本体２０の外面に起伏可能に取り付けられる支持板３０とからなる。
【００２６】
クリップ本体２０は、枢軸２１と、互いに対向する一対の挟み片２２Ａ、２２Ｂと、各挟み片２２Ａ、２２Ｂの先端側の挟み部２２ａが近づき基端側の掴み部２２ｂが離れるように挟み片２２Ａ、２２Ｂを付勢するコイルバネ２３とを備えている。
【００２７】
なお、以下の説明において、挟み片２２Ａ、２２Ｂの長さ方向とは、先端側及び基端側に延びる方向であり、長さ方向に直交する２方向を幅方向及び厚み方向としている。同様に、支持板３０においても、長さ方向とは、先端側及び基端側に延びる方向であり、長さ方向に直交する２方向を幅方向及び厚み方向としている。
【００２８】
各挟み片２２Ａ、２２Ｂは同一形態、同一構造のものであり、合成樹脂、金属などの素材より構成される。各挟み片２２Ａ、２２Ｂには、長さ中央部より挟み部２２ａ側の位置の両縁部に一対の回動支点部２２ｃ、２２ｃが設けられ、各回動支点部２２ｃ、２２ｃには枢軸２１を挿通させるための挿通孔２２ｄがそれぞれ形成されている。一方の挟み片２２の一対の回動支点部２２ｃ、２２ｃの内側に他方の挟み片２２の一対の回動支点部２２ｃ、２２ｃが重なるように、各回動支点部２２ｃを僅かに変形させて一対の挟み片２２Ａ、２２Ｂが嵌め合わされる。
なお、回動支点部２２ｃが設けられる位置は各挟み片２２Ａ、２２Ｂの長さ中央部より挟み部２２ａ側でなくてもよく、掴み部２２ｂ側に片寄った位置又は長さ中央部に設けられていてもよい。
【００２９】
支持板３０は、基端部の両縁部に一対の回動支点部３０ａ、３０ａを備えており、各回動支点部３０ａ、３０ａには枢軸２１を挿通させるための挿通孔３０ｂがそれぞれ形成されている。支持板３０の各回動支点部３０ａは、一対の挟み片２２Ａ、２２Ｂの重なり合った各回動支点部２２ｃ、２２ｃの外側にそれぞれ位置しており、各挟み片２２Ａ、２２Ｂの各挿通孔２２ｄ、２２ｄと支持板３０の各挿通孔３０ｂ、３０ｂとが連通している。連通した挿通孔に枢軸２１の端部が挿通されることで、一対の挟み片２２Ａ、２２Ｂが枢軸２１に回動自由に支持されるとともに、支持板３０の基端部が枢軸２１に回動自由に支持されて起伏可能となる。本実施形態においては、支持板３０は挟み片２２Ｂに沿うように支持されている。
枢軸２１の両端部には枢軸２１が挿通孔２２ｄ、２２ｄ、３０ｂより抜け出るのを阻止する抜け止め用の鍔部２１ａが設けられている。
【００３０】
支持板３０の各挿通孔３０ｂは、直径を枢軸２１の直径と略同一に設定しており、支持板３０の各挿通孔３０ｂの内周面と枢軸２１の外周面との摩擦により、支持板３０を起伏動作の中間の角度位置で定位することを可能としている。
また、枢軸２１上にコイルバネ２３が設けられており、このコイルバネ２３のバネ力によって挟み片２２Ａ、２２Ｂの挟み部２２ａが互いに近づいて突き当たっている。なお、コイルバネ２３に代えて板バネを用いることも可能である。
【００３１】
各挟み片２２Ａ、２２Ｂの掴み部２２ｂ、２２ｂには、各挟み片２２Ａ、２２Ｂの厚さ方向に貫通し、容器５０を挿入状態で保持する第１の保持孔２２１Ａ、２２１Ｂが形成されている。
また、支持板３０には、支持板３０の厚さ方向に貫通し、容器５０を挿入状態で保持する第２の保持孔３１が設けられている。
支持板３０が倒れてクリップ本体２０の挟み片２２Ｂ上に重なった図２に示す状態のとき、第２の保持孔３１と各第１の保持孔２２１Ａ、２２１Ｂとがほぼ直線状に並び、連通した状態となる。
【００３２】
なお、挟み片２２Ｂの掴み部２２ｂの先端部と、支持板３０の先端部とに磁石を取り付け、支持板３０が倒れてクリップ本体２０の挟み片２２Ｂ上に重なった図２に示す状態を、磁石の磁気吸着により維持させてもよい。この場合、磁石の磁気吸着力は、使用者が支持板３０をクリップ本体２０より容易に起立させた状態にすることができる大きさとする。また、磁石に替えて留め具等を取り付けてもよい。
【００３３】
図４に示すように、クリップ本体２０がテーブルの天板のような横向きの器物Ｔに対して挟み止めされる場合、支持板３０をクリップ本体２０上に重なった状態にすると、第１の保持孔２２１Ａ、２２１Ｂと第２の保持孔３１とは連通して器物Ｔに対して直交する方向（縦方向）を向き、容器５０は第１の保持孔２２１Ａ、２２１Ｂ及び第２の保持孔３１に挿入状態で保持される。
【００３４】
また、図５に示すように、クリップ本体２０が衝立のような縦向きの器物Ｔに対して挟み止めされる場合、支持板３０をクリップ本体２０より起立させた状態にすると、支持板３０の第２の保持孔３１が縦方向に向き、容器５０はこの第２の保持孔３１に挿入状態で保持される。
【００３５】
本実施形態では、各挟み片２２Ａ、２２Ｂの第１の保持孔２２１Ａ、２２１Ｂの形状と支持板３０の第２の保持孔３１の形状とは、後述する容器５０の形状に合わせて平面視矩形状としているが、容器５０が挿入可能であればよく、容器５０の形状に合わせて平面視が円形状、楕円形状、三角形状、多角形状など任意の形状であってもよい。
【００３６】
次に、容器５０が各挟み片２２Ａ、２２Ｂ及び支持板３０に挿入状態で保持される構成について、詳細に説明する。
【００３７】
容器５０は、図６に示すように、上方に開口部５３を有する有底の直方体の容器本体５１に略Ｕ字形状の取っ手５４が取り付けられたものである。容器本体５１の対向する壁面の上端部に形成された各貫通孔に、円柱状の一対の軸５２、５２が回転自由に挿入されている。それぞれの軸５２、５２の容器本体５１の内側に位置する端部には、抜け止め防止のための鍔部５２ａが設けられている。また、それぞれの軸５２、５２の容器本体５１の外面から突出する部分には、取っ手５４の両端部が溶接や接着等により取り付けられている。
取っ手５４は、両軸５２、５２の回転により起伏するものであり、倒した状態で容器本体５１の外壁面に沿う形状となっている。
【００３８】
容器本体５１、軸５２、５２、取っ手５４を構成する素材は、プラスチック、金属、紙など種々のものが考えられる。
【００３９】
なお、容器５０は必ずしも取っ手５４を備えていなくてもよい。また、一対の軸５２、５２を一本の棒状体によって構成してもよい。この場合、容器本体５１の対向する位置に形成された貫通孔のそれぞれに棒状体の両端部を貫通させ、棒状体の容器本体５１の外面から突出する両端部を容器５０の一対の軸５２、５２とする。
また、容器５０の形状は直方体には限定されず、円柱状、多角柱状、楕円柱状であってもよい。
【００４０】
図７に示すように、容器５０の軸５２、５２は、一方の挟み片２２Ａに形成された一対の第１の軸受部２２２、２２２に支持される。第１の軸受部２２２、２２２は、挟み片２２Ａの外側の面であって、第１の保持孔２２１Ａの外周縁の対向する位置に形成された一対の凹溝であり、容器５０の軸５２、５２が長さ方向に若干の移動が可能な程度に遊び部分を持たせて形成されている。
本実施形態では、第１の軸受部２２２、２２２は、第１の保持孔２２１Ａの幅方向の両側縁に設けられているが、長さ方向の両端縁に設けられていてもよい。
なお、図７においては、挟み片２２Ａと容器５０のみを図示しており、他の構成の記載は省略している。
【００４１】
また、第１の軸受部２２２、２２２は容器５０の軸５２、５２を支持することができればどのような形状であってもよい。本実施形態では凹溝としているが、例えば、軸受孔であってもよい。この場合、容器５０は、軸５２、５２を軸受孔に挿入可能な程度に撓む素材から構成される。また、本実施形態では、第１の軸受部２２２、２２２の正面（挟み片２２Ａの幅方向）から見た形状を半楕円形状としているが、例えば、矩形状などであってもよい。
【００４２】
また、支持板３０にも、容器５０の軸５２、５２を支持する一対の第２の軸受部３２、３２が形成されている。第２の軸受部３２、３２は、第２の保持孔３１の外周縁の対向位置に形成された、一対の凹溝である。第２の軸受部３２、３２は、容器５０の軸５２、５２が嵌まる大きさであり、第１の軸受部２２２、２２２のように遊びの部分は形成されていない。
本実施形態では、第２の軸受部３２、３２は、第２の保持孔３１の幅方向の両側縁に設けられているが、長さ方向の両端縁に設けられていてもよい。
【００４３】
また、第２の軸受部３２、３２は容器５０の軸５２、５２を支持することができればどのような形状であってもよい。本実施形態では凹溝としているが、例えば、軸受孔であってもよい。この場合、容器５０は、軸５２、５２を軸受孔に挿入可能な程度に撓む素材から構成されている。また、本実施形態では、第２の軸受部３２、３２の正面（支持板３０の幅方向）から見た形状を円弧状としているが、例えば、矩形状、三角形状などであってもよい。
【００４４】
一方の第１の保持孔２２１Ｂと第２の保持孔３１とは略同じ大きさであり、容器５０が挿入可能であるが、第１の保持孔２２１Ｂと第２の保持孔３１の内部で容器５０が移動することができない程度の大きさとしている。他方の第１の保持孔２２１Ａは、第１の保持孔２２１Ｂ及び第２の保持孔３１よりも長さ方向の長さが一回り長く形成されている。
【００４５】
支持板３０が倒れてクリップ本体２０の挟み片２２Ｂ上に重なった図４の状態において、クリップ本体２０が器物Ｔに挟み止めされるとき、図８に示されるように、器物Ｔの厚みが小さいと、挟み片２２Ａ、２２Ｂの挟み部２２ａ、２２ａの間の距離Ｌが変化する。図８に示す器物Ｔは、図４に示す器物Ｔより厚みが薄く、挟み片２２Ａ、２２Ｂの挟み部２２ａ、２２ａの間の距離Ｌが図４と比べて長い。第１の保持孔２２１Ａ、２２１Ｂと第２の保持孔３１とが略同じ大きさである場合には、第１の保持孔２２１Ｂ及び第２の保持孔３１と第１の保持孔２２１Ａとが直線状に並んだ状態からずれてしまい、容器５０が第１の保持孔２２１Ａ、２２１Ｂ及び第２の保持孔３１に挿入できないことがある。
さらに、挟み部２２ａ、２２ａの間の距離Ｌが変化することにより、第１の軸受部２２２、２２２の位置が、一方の第１の保持孔２２１Ｂ及び第２の保持孔３１対して長さ方向にずれる。このため、容器５０の軸５２、５２を第１の軸受部２２２、２２２に支持させることができないことがある。
【００４６】
しかし、本実施形態においては、第１の保持孔２２１Ａを、第１の保持孔２２１Ｂ及び第２の保持孔３１よりも長さ方向の長さを一回り長く形成し、挟み部２２ａ、２２ａの間の距離Ｌによらず、第１の保持孔２２１Ｂ及び第２の保持孔３１と第１の保持孔２２１Ａとが直線状に並んだ状態とすることで、容器５０を第１の保持孔２２１Ａ、２２１Ｂ及び第２の保持孔３１に挿入可能としている。
また、第１の軸受部２２２、２２２を長さ方向に長く形成して遊び部分を持たせることで、図８に示すように、第１の軸受部２２２、２２２の位置ずれ分だけ容器５０の軸５２、５２の支持位置を移動させることができ、挟み部２２ａ、２２ａの間の距離Ｌによらず、第１の軸受部２２２、２２２に容器５０の軸５２、５２を支持することができる。
【００４７】
次に、本発明のホルダー付容器６０の使用方法について説明する。
図１、図４に示すように、クリップ本体２０がテーブルの天板のような横向きの器物Ｔに対して挟み止めされる場合、支持板３０を倒してクリップ本体２０上に重なった状態とし、他方の挟み片２２Ａが上側になるようにクリップ本体２０を挟み止めすると、第１の保持孔２１１Ａ、２１１Ｂと第２の保持孔３１とは連通して縦方向を向く。容器５０は挟み片２２Ａの上方から挿入され、容器５０の軸５２、５２が第１の保持孔２２１Ａの第１の軸受部２２２、２２２に支持される。これにより、容器５０は開口部５３が上方を向いた状態でこの第１の保持孔２１１Ａ、２１１Ｂと第２の保持孔３１とに挿入状態で保持される。
【００４８】
また、図５に示すように、クリップ本体２０が衝立のような縦向きの器物Ｔに対して上方から挟み止めされる場合、支持板３０の第２の保持孔３２が縦方向を向くように支持板３０をクリップ本体２０に対して起立させる。容器５０は支持板３０の上方から挿入され、容器５０の軸５２、５２が第２の保持孔３１の第２の軸受部３２、３２に支持される。これにより、容器５０は開口部５３が上方を向いた状態でこの第２の保持孔３１に挿入状態で保持される。
【００４９】
このように、容器ホルダー１０のクリップ本体２０が縦横のいずれの方向を向く器物Ｔに挟み止めされても、容器５０を器物Ｔに縦向きに保持することが可能である。
【００５０】
本発明のホルダー付容器６０をホルダー付ゴミ箱として用いることで、容器ホルダーを用いてゴミ箱を様々な器物に設置できる。例えば、ホルダー付ゴミ箱をテーブルの周囲であって使用者の近傍に横方向から設置した場合、使用済の爪楊枝やナプキン、コーヒーのフレッシュ等のゴミ、食べカス、飲みカスなどをすぐに捨てることができ、ゴミが目に付かなくなる。また、生け花などのお稽古事においては生ごみが多く発生するため、各人がホルダー付ゴミ箱を用いることで生ごみをすぐに捨てることができ、テーブルの上を美しく保つことができる。さらに、ホルダー付ゴミ箱を机に使用する場合、足元にゴミ箱がないので足元を広く使うことができ、また、消しゴムのかすなどをすぐに捨てることができる。
【００５１】
なお、容器５０の外形を、第１の保持孔２２１Ｂと第２の保持孔３１の内部で移動可能な大きさとしてもよい。
このとき、図９に示すように、第２の保持孔３１が縦方向に対して斜めに向くように支持板３０を起立させた場合には、支持板３０の第２の保持孔３１の第２の軸受部３２、３２に容器５０の軸５２、５２を係止させると、容器５０は重力方向に吊り下げられるように回動し、開口部５３が上方を向くように容器５０を縦向きに保持することが可能となる。
【００５２】
また、クリップ本体２０が斜め向きの器物に対して挟み止めされる場合、第２の保持孔３１が縦方向となるように、クリップ本体２０に対して支持板３０が起立する角度を調整する。これにより、容器５０を開口部５３が上方を向くように縦方向に保持することが可能となる。
【００５３】
本発明の他の実施形態を図１０、図１１に示す。
本実施形態の挟み片２２Ａは、第１の保持孔２２１Ａの外周縁の対向する位置に、厚さ方向に貫通する第１の切り欠き溝２２４が形成され、挟み片２２Ａの内側面に、第１の切り欠き溝２２４を覆うように第１の軸受部２２３、２２３が取り付けられている。第１の軸受部２２３、２２３は、第１の切り欠き溝２２４を覆い容器５０の軸５２、５２を支持するＵ字状に湾曲した第１の支持部２２３ａと、第１の支持部２２３ａの両端部から互いに反対方向に外方に向けて形成された第１の接合部２２３ｂ、２２３ｂとが一体に形成されたものであり、第１の接合部２２３ｂ、２２３ｂが挟み片２２Ａの内側面に溶接や接着により固着されている。
【００５４】
第１の切り欠き溝２２４の長さ方向の長さは、本実施形態では第１の支持部２２３ａの長さと同じとしているが、少なくとも容器５０の軸５２、５２が通過することが可能な長さであればよい。
容器５０の軸５２、５２は、第１の軸受部２２３、２２３の第１の支持部２２３ａ及び挟み片２２Ａで囲われる空間に収容されている。第１の支持部２２３ａは、長さ方向に若干の移動が可能な程度に遊び部分を持たせた長さに形成されている。
【００５５】
支持板３０は、第２の保持孔３１の外周縁の対向する位置に、厚さ方向に貫通する第２の切り欠き溝３４が形成され、支持板３０の外側面に、第２の切り欠き溝３４を覆うように第２の軸受部３３、３３が取り付けられている。第２の軸受部３３、３３は、第２の切り欠き溝３４を覆い容器５０の軸５２、５２を支持するＵ字状に湾曲した第２の支持部３３ａと、第２の支持部３３ａの両端部から互いに反対方向に外方に向けて形成された第２の接合部３３ｂ、３３ｂとが一体に形成されたものであり、第２の接合部３３ｂ、３３ｂが支持板３０の外側面に溶接や接着により固着されている。
本実施形態では、第２の切り欠き溝３４の長さ方向の長さは、第２の支持部３３ａと同じとしており、第２の支持部３３ａは容器５０の軸５２、５２が嵌まる大きさとしている。
【００５６】
本実施形態では、第１の支持部２２３ａ、第２の支持部３３ａの正面（挟み片２２Ａ、支持板３０の幅方向）から見た形状をＵ字状としているが、例えば、矩形状であってもよい。
【００５７】
クリップ本体２０がテーブルの天板のような横向きの器物Ｔに対して挟み止めされる場合には、容器５０は挟み片２２Ａの上方から挿入され、容器５０の軸５２、５２は第１の保持孔２２１Ａの第１の切り欠き溝２２４を通過して第１の軸受部２２３、２２３の第１の支持部２２３ａに支持される。
【００５８】
また、クリップ本体２０が衝立のような縦向きの器物Ｔに対して挟み止めされる場合には、容器５０は支持板３０の上方から挿入され、容器５０の軸５２、５２は第２の保持孔３１の第２の切り欠き溝３４を通過して第２の軸受部３３、３３の第２の支持部３３ａに支持される。
【００５９】
本実施形態によれば、第１の軸受部２２３、２２３を挟み片２２Ａとは別部材で構成し、第２の軸受部３３、３３を支持板３０とは別部材として構成しているので、図１の実施形態のように挟み片２２Ａ及び支持板３０に第１の軸受部２２３、２２３及び第２の軸受部３３、３３を形成する場合に比べて、挟み片２２Ａ及び支持板３０の厚みを薄くすることができる。
【００６０】
その他の構成、作用については、図１の実施形態と同様であるため、対応する部分に同一の符号を付すことで説明を省略する。
【００６１】
本発明のさらに他の実施形態を図１２、図１３に示す。
図１２の実施形態は、図１０の実施形態にさらに第２の支持板７０を追加したものである。図１２において、第２の支持板７０は支持板３０と同一構造のものである。
図１３に示すように、クリップ本体２０が縦向きの器物Ｔに対して下方から挟み止めされる場合、支持板３０の第２の保持孔が縦方向を向くように第２の支持板７０をクリップ本体２０に対して起立させることで、第２の支持板７０に容器５０を保持させることができる。
その他の構成、作用については、図１の実施形態と同様であるため、対応する部分に同一の符号を付すことで説明を省略する。
【００６２】
本発明は上記実施形態に限定されるものではなく、本発明の趣旨を逸脱しない限りにおいて種々の変更が可能である。
【００６３】
容器５０を第１の保持孔２２１又は第２の保持孔３１に挿入状態で保持する方法は本実施形態に限定されず、例えば、容器５０の開口部５３の周囲に鍔部を形成して、第１の保持孔２２１の周囲の挟み片２２Ａの表面又は第２の保持孔３１の周囲の支持板３０の表面に鍔部を係止させることで、容器５０を第１の保持孔２２１又は第２の保持孔３１に挿入状態で保持してもよい。
【００６４】
また、本実施形態では、支持板３０の回動支点部３０ａがクリップ本体２０の枢軸２１に支持されているが、支持板３０のクリップ本体２０に対する取り付け位置は、支持板３０が起伏動作して容器５０を第２の保持孔３１に挿入できるのであればいずれの位置であってもよい。支持板３０の回動支点部３０ａが挟み片２２Ａ、２２Ｂの掴み部２２ｂの先端部に回動自由に取り付けられてもよく、この場合は支持板３０の先端部を下側から上側に移動させて支持板３０を起立させる。
【符号の説明】
【００６５】
１０  容器ホルダー
２０  クリップ本体
２１  枢軸
２２Ａ、２２Ｂ  一対の挟み片
２２１Ａ、２２１Ｂ  第１の保持孔
２２２、２２２、２２３、２２３  第１の軸受部
２２４  第１の切り欠き溝
２２ａ  挟み部
２２ｂ  掴み部
２３  バネ
３０、７０  支持板
３１  第２の保持孔
３２、３２、３３、３３  第２の軸受部
３４  第２の切り欠き溝
５０  容器
５１  容器本体
５２、５２  軸
６０  ホルダー付容器
Ｂ  容器（ゴミ箱）
Ｔ  器物（テーブル）
【図１】
2018034949.tif 000003
【図２】
2018034949.tif 000004
【図３】
2018034949.tif 000005
【図４】
2018034949.tif 000006
【図５】
2018034949.tif 000007
【図６】
2018034949.tif 000008
【図７】
2018034949.tif 000009
【図８】
2018034949.tif 000010
【図９】
2018034949.tif 000011
【図１０】
2018034949.tif 000012
【図１１】
2018034949.tif 000013
【図１２】
2018034949.tif 000014
【図１３】
2018034949.tif 000015
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
容器を器物の近傍に保持させる容器ホルダーであって、
前記器物に挟み止めされるクリップ本体と、前記クリップ本体の外面に起伏可能に取り付けられる支持板とからなり、
前記クリップ本体は、枢軸と、互いに対向し前記枢軸に支持される一対の挟み片と、前記枢軸上に設けられ各挟み片の先端側の挟み部が近づき基端側の掴み部が離れるように挟み片を付勢するバネとを備え、各挟み片には前記容器を挿入状態で保持する第１の保持孔が同位置に設けられており、
前記支持板には、前記容器を挿入状態で保持する第２の保持孔が、前記支持板が倒れて前記クリップ本体上に重なった状態のとき、前記第１の保持孔と連通するように設けられている容器ホルダー。
【請求項２】
前記支持板と反対側の挟み片は、前記第１の保持孔の外周縁の対向位置に、前記容器の外面に突設された軸を支持する第１の軸受部が設けられ、
前記支持板は、前記第２の保持孔の外周縁の対向位置に、前記容器の外面に突設された軸を支持する第２の軸受部が設けられている請求項１に記載の容器ホルダー。
【請求項３】
前記第１及び第２の軸受部は凹溝である請求項２に記載の容器ホルダー。
【請求項４】
前記支持板と反対側の挟み片は、第１の保持孔の外周縁の対向位置に、厚さ方向に貫通する第１の切り欠き溝が形成され、前記第１の切り欠き溝の一端を覆うように前記第１の軸受部が前記挟み片に取り付けられ、
前記支持板は、第２の保持孔の外周縁の対向位置に、厚さ方向に貫通する第２の切り欠き溝が形成され、前記第２の切り欠き溝の一端を覆うように前記第２の軸受部が前記挟み片に取り付けられている請求項２に記載の容器ホルダー。
【請求項５】
前記支持板は、起伏動作の中間の角度位置で定位することが可能なように前記クリップ本体の外面に取り付けられている請求項１から４のいずれかに記載の容器ホルダー。
【請求項６】
請求項１から５のいずれかに記載の容器ホルダーと、
前記容器ホルダーの第１又は第２の保持孔に挿入状態で保持される容器との組み合わせからなるホルダー付容器。